(57)【要約】【課題】  開きパネル取付具が前面から見え難く且つ開きパネルを枠内周と略同じか枠内周よりも広い面積とした場合にも枠と干渉せずに開閉できる枠付きパネル装置を提供する。【解決手段】  本発明の枠付きパネル装置１において、開きパネル取付具１３は、ガイド１７と、スライダー１９と、丁番２１とを有し、ガイド１７は開きパネル９の後側で且つ枠５の内周側に固定してあり、スライダー１９は前後方向にスライド自在にガイド１７に係合してあり、丁番２１はスライダー１９に固定するスライダー側取付部２３と、開きパネル９の後側に固定するパネル側取付部２５と、両取付部２３、２５を回転自在に繋ぐ回転軸２７とを有し、回転軸２７は開きパネル９の後側に位置しており、スライダー１９をガイド１７に対して前方にスライドして回転軸２７を枠５から前方に引き出したときに、パネル側取付部２５がスライダー取付部２３に対して回転自在としてある。【選択図】      図１
2006002515.tif 000002
【特許請求の範囲】
【請求項１】
枠と、開きパネルと、開きパネル取付具とを備え、開きパネル取付具は、ガイドと、スライダーと、丁番とを有し、ガイドは開きパネルの後側で且つ枠の内周側に固定してあり、スライダーは前後方向にスライド自在にガイドに係合してあり、丁番はスライダーに固定するスライダー側取付部と、開きパネルの後側に固定するパネル側取付部と、両取付部を回転自在に繋ぐ回転軸とを有し、回転軸は開きパネルの後側に位置しており、スライダーをガイドに対して前方にスライドして回転軸を枠から前方に引き出したときに、パネル側取付部がスライダー取付部に対して回転自在としてあることを特徴とする枠付きパネル装置。
【請求項２】
枠と、嵌め殺しパネルと、開きパネルと、掲示板と、開きパネル取付具とを備え、枠は被カバー物の側面に取付ける取付部を有し、嵌め殺しパネルと開きパネルは隣合わせに枠に取付けてあり且つ開きパネルを閉じた状態で開きパネルと嵌め殺しパネルとは略面一であり、掲示板は開きパネルの後側で枠に固定してあり、開きパネル取付具は、開きパネルの後側と枠の内周側とを連結すると共に回転軸を開きパネルの後側に設けてあり、枠に対して開きパネルを前後方向にスライド自在にすると共に、前方向にスライドして回転軸を枠から引き出したときに開きパネルを回転自在にすることを特徴とする枠付きパネル装置。
【発明の詳細な説明】
【技術分野】
【０００１】
本発明は、枠付きパネル装置に関する。
【背景技術】
【０００２】
特許文献１には、枠の内周に開きパネルを配置し、枠の内周と開きパネルとの間に丁番の軸を設け、枠の内周側と開きパネルとに丁番を取付けて、枠に対して開きパネルを開閉することが開示されている。
【０００３】
【特許文献１】特許第２９５６６４９号公報
【発明の開示】
【発明が解決しようとする課題】
【０００４】
しかし、上述の従来技術は枠内周に開きパネルを設けると共に、枠と開きパネルとの間に丁番の回転軸を設けているので、丁番の回転軸が開きパネルの前面に露出して外観を損なうという問題がある。
一方、開きパネルを枠内周と略同じか枠内周より広い面積としたいという要求があるが、このように開きパネルの面積を広くとると、開きパネルが枠と干渉して開閉し難くなるという問題がある。
【０００５】
そこで、本発明は、開きパネル取付具が前面から見え難く且つ開きパネルを枠内周と略同じか枠内周よりも広い面積とした場合にも枠と干渉せずに開閉できる枠付きパネル装置の提供を目的とする。
【課題を解決するための手段】
【０００６】
請求項１に記載の発明は、枠と、開きパネルと、開きパネル取付具とを備え、開きパネル取付具は、ガイドと、スライダーと、丁番とを有し、ガイドは開きパネルの後側で且つ枠の内周側に固定してあり、スライダーは前後方向にスライド自在にガイドに係合してあり、丁番はスライダーに固定するスライダー側取付部と、開きパネルの後側に固定するパネル側取付部と、両取付部を回転自在に繋ぐ回転軸とを有し、回転軸は開きパネルの後側に位置しており、スライダーをガイドに対して前方にスライドして回転軸を枠から前方に引き出したときに、パネル側取付部がスライダー取付部に対して回転自在としてあることを特徴とする。
【０００７】
請求項２に記載の発明は、枠と、嵌め殺しパネルと、開きパネルと、掲示板と、開きパネル取付具とを備え、枠は被カバー物の側面に取付ける取付部を有し、嵌め殺しパネルと開きパネルは隣合わせに枠に取付けてあり且つ開きパネルを閉じた状態で開きパネルと嵌め殺しパネルとは略面一であり、掲示板は開きパネルの後側で枠に固定してあり、開きパネル取付具は、開きパネルの後側と枠の内周側とを連結すると共に回転軸を開きパネルの後側に設けてあり、枠に対して開きパネルを前後方向にスライド自在にすると共に、前方向にスライドして回転軸を枠から引き出したときに開きパネルを回転自在にすることを特徴とする。
【発明の効果】
【０００８】
請求項１に記載の発明によれば、開きパネル取付具を開きパネルの後側に配置しているので、開きパネル取付具が開きパネルの前方から見え難く、外観が良い。
開きパネルは、枠に固定したガイドに対してスライダーを前方にスライドして枠よりも前方に引き出して開閉する構成であるから、開きパネルを枠の内周と略同じか枠内周よりも広い面積にした場合でも、開きパネルを枠と干渉することなく開閉できる。
【０００９】
請求項２に記載の発明によれば、開きパネル取付具を開きパネルの後側に配置しているので、開きパネル取付具が開きパネルの前方から見え難く、外観が良い。
開きパネルは枠に固定したガイドに対してスライダーを前方にスライドして枠よりも前方に開きパネルを引き出して開きパネルを開閉する構成であるから、開きパネルを枠の内周と略同じか枠内周よりも広い面積にした場合でも、開きパネルを枠と干渉することなく開閉できる。
開きパネルが閉じているときに開きパネルと嵌め殺しパネルとが略面一としてあるので、外観が良い。
枠を被カバー物の側面に取付けることにより、既存の柱や壁等を掲示板として容易に利用することができる。
【発明を実施するための最良の形態】
【００１０】
以下に、添付図面を参照して本発明の実施の形態を説明する。図１は図４のＡ部を拡大して示す断面図であり、図２は図５に示すＣ−Ｃ断面を図１と対応する位置で示す断面図であり、図３は図５のＥ−Ｅ断面であり、図４は図５のＢ−Ｂ断面図であり、図５は本発明の実施の形態にかかる枠付きパネル装置の正面図であり、図６は本発明の実施の形態にかかる枠付きパネル装置において、開きパネルを開いた状態を示す斜視図である。尚、図１において抜き出して示しているのは、ガイド１７とスライダーとの係合を示す斜視図である。
本実施の形態にかかる枠付きパネル装置１は、駅構内の四角柱状の被カバー物（柱）３に設けてあり、枠５と、嵌め殺しパネル７と、開きパネル９と、掲示板１１と、開きパネル取付具１３とを備えている。
被カバー物３には、側面に枠５の取付部１５をねじで取り付けて、被カバー物３の四周の各側面に枠付きパネル装置１を固定してある。
枠５には、嵌め殺しパネル７と開きパネル９とが取付けてあり、下から上に嵌め殺しパネル７、開きパネル９、嵌め殺しパネル７の順序で上下に設けてある。
嵌め殺しパネル７と開きパネル９は枠５の内周と略同じ寸法の面積を有している。尚、開きパネル９はガラスであり、嵌め殺しパネルはアルミニウム製のパネルである。また、開きパネル９を閉じた状態において、上下の各嵌め殺しパネル７、７と開きパネル９とは、表面が略面一になっている。
開きパネル取付具１３は、開きパネル９の左右の一側において、開きパネルの後側に取付けてあり、ガイド１７と、スライダー１９と、丁番２１とを備えている。
ガイド１７は開きパネル９の後側で且つ枠５の内周側に固定してある。ガイド１７は四角筒形状であり、前後方向に長く設けている。
スライダー１９は前後方向にスライド自在にガイド１７に係合してあり、断面略コ字状を成してガイド１７の外面をスライドするようになっている。
丁番２１は開きパネル９の後側に設けてあり、スライダー１９に固定するスライダー側取付部２３と、開きパネル９に固定するパネル側取付部２５と、両取付部２３、２５を回転自在に繋ぐ回転軸２７とから構成されている。スライダー側取り付け部２３には、ガイド１７の中空内に係止する係止部２９が設けてあり、係止部２９がガイド１７にねじ３１により固定してある。パネル側取付部２５は開きパネル９のパネル枠９ａを兼ねている。
開きパネル９の他側（戸先側）には、枠５にガイド３３が取付けてあり、開きパネル９の戸先側に設けたスライダー３５がガイド３３の外周に係合してガイド３３に対して前後方向にスライド自在になっている。スライダー３５の前側には開きパネル９の戸先枠９ｂが当る戸当り３４が設けてある。ガイド３３及びスライダー３５は上述したガイド１７及びスライダー１９と略同じ構成であり、開きパネル９の戸先側枠９ｂはスライダー３５にねじ３７で止められている。ガイド３３の中空内には戸先側枠９ｂに設けてある係止部材３６が挿入され、ねじ３８によりガイド３３に固定されている。
掲示板１１は、開きパネル９の後側に設けてあり、開きパネル９を開いてポスター等を張り替えできるようにしてある。掲示板１１は枠５の内周側にねじで固定されている。
被カバー物３のコーナおいて、隣合う枠５間には枠５の外側にコーナカバ−４１が取付けてある。
【００１１】
次に、本実施の形態にかかる枠付きパネル装置１の施工、作用及び効果について説明する。枠付きパネル装置１の施工は、被カバー物３に補助材３９を取り付け、補助材３９に枠５の取付部１５をねじで止める。枠５は被カバー物１５の四面にそれぞれ固定する。尚、枠５には予めガイド１７、３３が固定してある。次に、枠５の上部と下部とにそれぞれ嵌め殺しパネル７、７を取り付け、嵌め殺しパネル７、７間には、掲示板１１を枠５に固定する。一方、開きパネル９には一側に丁番２１を固定しておき、丁番２１に固定したスライダー１９をガイド１７に係合してガイド１７に沿ってスライダー１９をスライド挿入する。また、開きパネル９の戸先枠９ｂに固定してあるスライダー３５をガイド３３に係合して、ガイド３３に沿ってスライダー１９をスライド挿入する。
そして、隣合う枠５、５間のコーナにコーナカバー４１を取付けて、ねじ３１で丁番の係止部２９をガイド１７に固定すると共に、開きパネルの戸先側においてもねじ３８で開きパネル９の戸先枠９ｂに設けてある係止部材３６をガイド３３に固定する。
開きパネル９を開くときには、コーナカバー４１に固定してあるねじ３１、３８を外し、開きパネル９をガイド１７に沿って前方にスライドし、丁番２１が枠５よりも外側に位置したところで、戸先枠９ｂとスライダー３５とを固定してあるねじ３７を外して、丁番の回転軸２７を中心にして開きパネル９を回転させて開く。
本実施の形態によれば、被カバー物３に枠５を取付けて、嵌め殺しパネル７、７と開きパネル９とを開きパネル取付け具１３と共に装着することにより、枠付きパネル装置１の施工が容易にできる。したがって、駅の構内に設けてある既存の柱や壁等（被カバー物）を掲示板として利用することが容易にできる。
開きパネル取付具１３を開きパネル９の後側に配置しているので、開きパネル取付具１３が開きパネル９の前方から見え難く、外観が良い。
開きパネル９は枠５に固定したガイド１７に対してスライダー１９を前方にスライドして枠５よりも前方に引き出して開閉する構成であるから、開きパネル９を枠５の内周と略同じ寸法の広い面積にしても、開きパネル９を枠５と干渉することなく開閉できる。
開きパネル９が閉じているときに開きパネル９と嵌め殺しパネル７、７とが略面一としてあるので、外観が良い。
【００１２】
本発明は、上述した実施の形態に限らず、本発明の要旨を逸脱しない範囲で種々変形可能である。
例えば、パネル取付具１３、ガイド１７及びスライダー１９を開きパネル９の上側又は下側に設けて、開きパネル９の下側又は上側を開く構成としてもよい。
図７に示すように、丁番２１のパネル側取付部２５に鍵４３を設けて、開きパネル９を閉じた状態のときにコーナカバー４１に開きパネル９をロックするようにしてもよい。
図８に示すように、開きパネル９は枠５の内周よりも広い面積としてもよい。
枠付きパネル装置１は、駅構内に限らず、ホテル等の建物の柱や壁（被カバー物）に設けるものであってもよく、設置場所は限定されない。また、枠付きパネル装置１は、例えば、自立型の掲示板に使用してもよく、被カバー物を被覆するものに限定されない。
スライダー１９はガイド１７の中空内に係合してスライドするものであってもよい。
掲示板１１は設けないで、開きパネル９にアルミニウム製パネル等の透明でないものを用いてもよい。また、枠５には、嵌め殺しパネル７を設けないで、開きパネル９のみとしてもよい。
【図面の簡単な説明】
【００１３】
【図１】図４のＡ部を拡大して示す断面図である。
【図２】図５に示すＣ−Ｃ断面を図１と対応する位置で示す断面図である。
【図３】図５のＥ−Ｅ断面である。
【図４】図５のＢ−Ｂ断面図である。
【図５】本発明の実施の形態にかかる枠付きパネル装置の正面図である。
【図６】本発明の実施の形態にかかる枠付きパネル装置において、開きパネルを開いた状態を示す斜視図である。
【図７】他の実施の形態にかかる枠付きパネル装置の図であり、図１と同じ位置で切断した断面図である。
【図８】他の実施の形態にかかる枠付きパネル装置の図であり、図１と同じ位置で切断した断面図である。
【符号の説明】
【００１４】
１      枠付きパネル装置
３      被カバー物
５      枠
７      嵌め殺しパネル
９      開きパネル
１１    掲示板
１３    開きパネル取付具
１５    取付部
１７    ガイド
１９    スライダー
２１    丁番
２３    スライダー側取付部
２５    パネル側取付部
２７    回転軸
【図１】
2006002515.tif 000003
【図２】
2006002515.tif 000004
【図３】
2006002515.tif 000005
【図４】
2006002515.tif 000006
【図５】
2006002515.tif 000007
【図６】
2006002515.tif 000008
【図７】
2006002515.tif 000009
【図８】
2006002515.tif 000010